(57)【要約】【課題】  取り外しが容易でありかつ、電車などのロングシート着席時に首に負担がかからない、頭部と背筋が直線上の姿勢を維持しながら頭部が揺れず仮眠することのできる頸部支持具を提供すること。【解決手段】  袋体のカバーの裏面(4)の面に伸縮性のない生地(8)と吸着可能な吸着シート(5)を備え、枕本体に覆い、吸着部を平面に吸着させ頸部と後頭部を支える構成を特徴とし、かつ取り外しが容易であることを特徴とする吸着シート付き頸部支持具。【選択図】図1
2020028458.tif 000002
【特許請求の範囲】
【請求項１】
袋体のカバーの裏面(4)の平面に伸縮性のない生地(8)と吸着可能な吸着シート(5)を備え、枕本体に覆い、吸着部を平面に吸着させ頸部と後頭部を支える構成を特徴とする吸着シート付き頸部支持具。
【請求項２】
前記枕本体(10)は左右が隆起しており、中央部が窪んでいる構造であり、また裏面は平坦であり、裏面もまたくびれがあることを特徴とする請求項１記載の吸着シート付き頸部支持具。
【請求項３】
吸着シート(5)はカバー裏面(4)と同様の形状でありかつ1~5cm小さい面積であることを特徴とする請求項１または２記載の吸着シート付き頸部支持具。
【発明の詳細な説明】
【技術分野】
【０００１】
本発明は、吸着性のあるシートを取付けたことにより、頸部支持具本体がガラス、壁等に吸着し、取り外しが可能でありかつ安定して頸部を支持する頸部支持具に関するものである。
【背景技術】
【０００２】
従来の頸部支持具には特許文献１より、自動車の座席の背もたれ部の上端に間隔をおいて支柱により取り付けられ、着座者の後頭部を支持する車用に開発されたものが提案されている。また吸盤が設けられた枕は特許文献2のように、吸盤を具備した浴槽用枕が提案されている。また吸着シートが設けられた枕は特許文献3のように提案されている。
【先行技術文献】
【特許文献】
【０００３】
【特許文献１】特開２０１４−２２６９６８
【特許文献２】特開２００９−１０１１００
【特許文献３】特開２００１−１０４１２８
【発明の概要】
【発明が解決しようとする課題】
【０００４】
車用に用いられている頸部支持具は持ち運びが不便である。また、従来の頸部支持具では窓ガラスに固定する手段がないため、使用時にずり落ちてしまう。また従来の丸型の吸盤を用いられた枕は、吸盤の接着面積が小さく、左右に力がかかった場合片方が浮き上がってしまい、安定性が損なわれている。本発明は以上のような欠点をなくすために、なされたものである。
【０００５】
また吸着シートが備えられた枕は特許文献3よりすでに存在するが、枕本体のカバーが伸縮性のある素材だった場合、吸着取り外し時にカバーが伸びてしまい取り外しづらい問題がある。
【０００６】
また電車などのロングシートで仮眠をとると電車の揺れによって頭部が左右に揺れ、頭部が前のめりになり、首に負担がかかるとともに、安定して仮眠をとることができない。本発明では電車などのロングシート着席時に首に負担がかからない、頭部と背筋が直線上の姿勢を維持しながら仮眠することのできる頸部支持具を提供することにある。
【課題を解決するための手段】
【０００７】
本発明は袋体のカバーの裏面(4)の平面に伸縮性のない生地(8)と吸着可能な吸着シート(5)を備え、枕本体に覆い、吸着部を平面に吸着させ頸部と後頭部を支える構成を特徴とする。
【０００８】
また頸部支持具の心材は内側が高反発ウレタンフォームであり、外側が低反発ウレタンフォームの二重構造を特徴とする。
【０００９】
また頸部支持具本体は瓢箪形であることを特徴とする。
【発明の効果】
【００１０】
吸着性のあるシートを備えたことにより、頸部支持具本体がガラス、壁等に吸着することで、ずり落ちることがなく、揺れに対して安定して頭部を支えることが可能となる。
【００１１】
吸着シートを頸部支持具と同じ瓢箪形に加工することで、吸着面積を限りなく大きくし、左右に力がかかった場合でも片方が浮き上がることがなく、安定性を維持できる。
【００１２】
また頸部支持具が窓ガラスなどに取り外し可能なため、持ち運ぶことが可能である。
【図面の簡単な説明】
【００１３】
【図１】本発明の吸着シート付き頸部支持具の実施形態１を示し、斜視図であ
【図２】実施形態１の裏面を平面上に吸着させ後頭部を支えた場合の説明図である。
【図３】実施形態１の裏面を平面上に吸着させ頭部側面を支えた場合の説明図である。
【図４】実施形態１の裏面図である。
【図５】芯材の内部構造である。
【図６】実施形態１の側面図である。
【図７】実施形態１の正面図である。
【発明を実施するための形態】
【００１４】
本発明の吸着シート付き頸部支持具は、カバーの裏面(4)の平面に吸着可能な吸着シートを備え、枕本体に覆い、吸着部を平面に吸着させ頸部と後頭部を支える構成である（図2）。
【００１５】
また頭部の側面を支えて使用することも可能である。(図3)
【００１６】
吸着シートにはアクリル系樹脂を発泡させたものが適している。なぜならアクリル系樹脂では粘着性が小さく、吸着力は強いため、ゴミなどの付着物がつきづらいためである。吸着シートは従来の丸形吸盤とは違い好きな形状にカットすることが可能である。枕の形状と同じ形にカットすることで、吸着面積を最大まで増やし、多方向に力が加わったとしても枕が揺れることなく安定性を確保できる。
【００１７】
また従来の丸形吸盤よりも、吸着時と取り外し時に力を必要としないため、取り付けと取り外しに利便性がある。また吸着シート(5)はカバー裏面(4)の1~5cm小さい面積でカットする。そうすることで、吸着しない部分を生み出し、隙間に手をかけて取り外しやすくなっている。
【００１８】
袋体のカバーとしては、織物または編み物の生地からなる袋、プラスチックシートからなる袋、網袋等を用いることができる。本発明では特に伸縮性のある素材が適している。袋体のカバー(4)と吸着シート(5)の間には伸縮性のない生地(8)を備える。そうすることでカバーが伸縮性の場合でも、吸着取り外し時にカバーの伸び率を下げることが可能である。そうすることで、枕の取り外しが容易になる。
【００１９】
枕の形状は頸部と後頭部を支えるために、瓢箪型になっている。瓢箪型とは左右が隆起しており、中央部が窪んでいる構造である。また裏面は平坦であり、裏面もまた瓢箪型でくびれを特徴とする。また瓢箪型であることで、頭部の密着面積を増やし、フィット感と寝心地の良さが実現可能となると同時に、左右に頭部の力がかかったとしても隆起部分が反発し、頭部が傾くことがない。そうすることで、頭部が左右に揺れる不快感がなく、仮眠をとることが可能となる。
【００２０】
枕の詰め物の芯材は高反発ウレタンフォームの外側に低反発ウレタンフォームを貼りつけ覆う構造である。(図5)内側に高反発ウレタンフォームを心材にすることで、沈み込みを浅くし、頸部と頭部が背中にかけて地面と垂直が維持することが可能である。(7)また低反発ウレタンフォームを5mm~10mm外側に覆うことで、頭部にフィット感を出し寝心地の良さが、高反発ウレタンフォームのみのときよりも向上されている。(図5)
【符号の説明】
【００２１】
1,2a,2b,3a,3b,4 袋体
5  吸着シート
6  低反発ウレタン
7  高反発ウレタン
8  伸縮性のない生地
10  吸着シート付き頸部支持具
【図１】
2020028458.tif 000003
【図２】
2020028458.tif 000004
【図３】
2020028458.tif 000005
【図４】
2020028458.tif 000006
【図５】
2020028458.tif 000007
【図６】
2020028458.tif 000008
【図７】
2020028458.tif 000009